(57)【要約】【課題】フック部を強固に補強した耐久性のある引張りスプリングとこれを用いた耐久性のあるクランプの開閉機構を提供することを目的とする。【解決手段】スプリング本体２と両端部に取付けたフック部３からなる引張りスプリング１であり、雄ネジ部５と係止部からフック部３を、該雄ネジ部５をスプリング本体２の内部に螺着し、更に補強リング体５の雌ネジ部９をスプリング本体２の外側に螺着し、補強リング体５をフック部３の雄ネジ部５の領域で固定した構成からなる。【選択図】図１
0003105506.tif 000002
【実用新案登録請求の範囲】
【請求項１】
スプリング本体と両端部に取付けたフック部からなる引張りスプリングであり、雄ネジ部と係止部からフック部を、該雄ネジ部をスプリング本体の内部に螺着し、更に補強リング体の雌ネジ部をスプリング本体の外側に螺着し、補強リング体をフック部の雄ネジ部の領域で固定したことを特徴とする引張りスプリング。
【請求項２】
フック部の係止部は板状体である請求項１記載の引張りスプリング。
【請求項３】
ロッドに配した少なくとも１つ以上のロック部に脱着可能であって支軸に対して旋回する一対のクランプと、クランプを開閉させる方向に移動させるスライド部材と、その押圧手段、そして一対のクランプの弾性的な開閉を補助する引張りスプリングならなるロッドの落下を防止するクランプの開閉機構であり、
上記引張りスプリングが雄ネジ部と係止部からフック部を、該雄ネジ部をスプリング本体の内部に螺着し、更に補強リング体の雌ネジ部をスプリング本体の外側に螺着し、補強リング体をフック部の雄ネジ部の領域で固定した構造からなる、
ことを特徴とするクランプの開閉機構。
【考案の詳細な説明】
【技術分野】
【０００１】
本考案は、引張りスプリングとこれを用いたクランプの開閉機構に係り、詳しくはフック部を強固に補強した耐久性のある引張りスプリングとこれを用いたクランプの開閉機構に関する。
【背景技術】
【０００２】
従来の引張りスプリングは、スプリング本体の両端に本体素線と同じ材料のリング状のフックを装着した形状からなり、例えばドアの開閉機構の開き運動を補助するために使用されている。（例えば、特許文献１、特許文献２）
【特許文献１】特開２００２−１３３４２号公報
【特許文献２】実用新案登録番号第２５０５９８６号
【考案の開示】
【考案が解決しようとする課題】
【０００３】
しかし、従来の引張りスプリングを開閉機構に使用する場合、開閉ごとにリング状のフックの根元部に応力集中が発生することから、短時間でこの領域に金属疲労が発生して折損し、安全性も阻害され、また工程停止によるロスが発生することがあり、定期的な交換が必要になっていた。
【０００４】
本考案は、従来の問題点を改善するものであり、フック部を強固に補強した耐久性のある引張りスプリングとこれを用いた耐久性のあるクランプの開閉機構を提供することを目的とする。
【課題を解決するための手段】
【０００５】
本願請求項１記載の考案では、スプリング本体と両端部に取付けたフック部からなる引張りスプリングであり、雄ネジ部と係止部からフック部を、該雄ネジ部をスプリング本体の内部に螺着し、更に補強リング体の雌ネジ部をスプリング本体の外側に螺着し、補強リング体をフック部の雄ネジ部の領域で固定したものであり、補強リング体をスプリング本体の外側に螺着することにより、フック部の雄ネジ部を強固に固定することができる。
また、本願請求項２記載の考案では、フック部の係止部が板状体である場合を含む。
【０００６】
本願請求項３記載の考案では、ロッドに配した少なくとも１つ以上のロック部に脱着可能であって支軸に対して旋回する一対のクランプと、クランプを開閉させる方向に移動させるスライド部材と、その押圧手段、そして一対のクランプの弾性的な開閉を補助する引張りスプリングならなるロッドの落下を防止するクランプの開閉機構であり、
上記引張りスプリングが雄ネジ部と係止部からフック部を、該雄ネジ部をスプリング本体の内部に螺着し、更に補強リング体の雌ネジ部をスプリング本体の外側に螺着し、補強リング体をフック部の雄ネジ部の領域で固定した構造からなるクランプの開閉機構にある。
【考案の効果】
【０００７】
本考案の引張りスプリングおよびこれを用いたクランプの開閉機構では、フック部の雄ネジ部をスプリング本体へ挿入して螺着し、また補強リング体の雌ネジ部をスプリング本体の外側に螺着することにより、フック部の雄ネジ部を強固に固定して耐久性を向上させる。またこの引張りスプリングを用いたクランプの開閉機構の耐久性が向上し信頼性に優れたものになる。
【考案を実施するための最良の形態】
【０００８】
図１は本考案に係る引張りスプリングの概略説明図、図２はフック部の正面図、そして図３は補強リング体の一部切欠き断面図である。この引張りスプリング１は所定の径をもつ素線４が密接した状態でコイル状に巻かれたスプリング本体２と両端部に取付けたフック部３からなっている。フック部３は雄ネジ部５と貫通穴６を有する板状体７からなり、雄ネジ部５をスプリング本体２に挿入して螺着させる。即ち、スプリング本体２の素線４がネジとなってフック部３の雄ネジ部５に螺着する。一方、補強リング体８は内部に設けた雌ネジ部９をスプリング本体２の外側をネジとして螺着し、フック部３の雄ネジ部５を強固に固定する。補強リング体８には円周方向に沿って複数のボルト１０が挿入され、該ボルト１０を締め付けて補強リング体８が回転しないように固定する。
【０００９】
このようにして、フック部３の雄ネジ部５をスプリング本体２へ挿入して螺着し、また補強リング体８の雌ネジ部９をスプリング本体２の外側に螺着することにより、フック部３の雄ネジ部５が強固に固定し、耐久性が向上する。
【００１０】
図４は図１に示す引張りスプリングを用いたクランプの開閉機構の平面図、図５は図４２のＡ−Ａ方向から見た図である。ここで示すロッドの落下を防止するクランプの開閉機構１５では、ロック部１６を有するロッド１７と、ロッド１７のロック部１６に脱着可能になるように支軸１８に対して旋回する一対のクランプ１９，１９と、クランプ１９の弾性的な開閉を補助する引張りスプリング１と、クランプ１９を開閉させる方向に移動させるスライド部材２０と、その押圧手段２１とから構成されている。
【００１１】
上記各クランプ１９，１９は、板状であってロッド１７のロック部１６を挟持できるように半円形の切欠き部２３を有し、末端部をピン状の支軸１８に挿入して旋回できるようになっている。しかも、各クランプ１９，１９は装着したピン２５，２５に引張りスプリング１のフック部３を係止して弾性的な開閉ができる。
【００１２】
スライド部材２０は各ピン２５，２５に嵌め込んだ一対のリンク部材２６，２６の端部をセンターライン上で重ね、この重ね部２７を連結ピン２８により留めた構造になり、油圧シリンダー等の押圧手段２１のロッド２９を重ね部２７に押圧してスライド部材２０を移動させて各クランプ１９，１９を引張りスプリング１の引張力に抗して開くようにする。逆に、押圧手段２１の重ね部２７への押圧を開放するように、押圧手段２１を移動させると、各クランプ１９，１９は閉鎖し、ロッド２９のロック部１６を確実に係止する。しかも、引張りスプリング１はクランプ１９，１９の開閉運動を補助し、金属疲労による破損も阻止できる、長期にわたって使用できる。
【産業上の利用可能性】
【００１３】
本考案は、フック部を強固に補強した耐久性のある引張りスプリングであり、プレス機の上盤の自然落下を防止するクランプの開閉機構に使用できる。
【図面の簡単な説明】
【００１４】
【図１】本考案に係る引張りスプリングの概略説明図である。
【図２】フック部の正面図である。
【図３】補強リング体の一部切欠き断面図である。
【図４】図１に示す引張りスプリングを用いたクランプの開閉機構の平面図である。
【図５】図４をＡ−Ａ方向から見た図である。
【符号の説明】
【００１５】
１    引張りスプリング
２    スプリング本体
３    フック部
４    素線
５    雄ネジ部
６    貫通穴
７    板状体
８    補強リング体
９    雌ネジ部
１５    クランプの開閉機構
１６    ロック部
１７    ロッド
１８    支軸
１９    クランプ
２０    スライド部材
２１    押圧手段
【図１】
0003105506.tif 000003
【図２】
0003105506.tif 000004
【図３】
0003105506.tif 000005
【図４】
0003105506.tif 000006
【図５】
0003105506.tif 000007
【手続補正書】
【提出日】平成16年7月8日(2004.7.8)
【手続補正１】
【補正対象書類名】実用新案登録請求の範囲
【補正対象項目名】全文
【補正方法】変更
【補正の内容】
【実用新案登録請求の範囲】
【請求項１】
スプリング本体と両端部に取付けたフック部からなる引張りスプリングであり、雄ネジ部と板状体からなるフック部を、該雄ネジ部をスプリング本体の内部に螺着し、更に補強リング体の雌ネジ部をスプリング本体の外側に螺着し、補強リング体をフック部の雄ネジ部の領域で固定したことを特徴とする引張りスプリング。
【請求項２】
フック部の板状体は、貫通穴を有している請求項１記載の引張りスプリング。
【請求項３】
ロッドに配した少なくとも１つ以上のロック部に脱着可能であって支軸に対して旋回する一対のクランプと、クランプを開閉させる方向に移動させるスライド部材と、その押圧手段、そして一対のクランプの弾性的な開閉を補助する引張りスプリングならなるロッドの落下を防止するクランプの開閉機構であり、  上記引張りスプリングが雄ネジ部と板状体からなるフック部を、該雄ネジ部をスプリング本体の内部に螺着し、更に補強リング体の雌ネジ部をスプリング本体の外側に螺着し、補強リング体をフック部の雄ネジ部の領域で固定した構造からなる、ことを特徴とするクランプの開閉機構。
【手続補正２】
【補正対象書類名】明細書
【補正対象項目名】０００５
【補正方法】変更
【補正の内容】
【０００５】  本願請求項１記載の考案では、スプリング本体と両端部に取付けたフック部からなる引張りスプリングであり、雄ネジ部と板状体からなるフック部を、該雄ネジ部をスプリング本体の内部に螺着し、更に補強リング体の雌ネジ部をスプリング本体の外側に螺着し、補強リング体をフック部の雄ネジ部の領域で固定したものであり、補強リング体をスプリング本体の外側に螺着することにより、フック部の雄ネジ部を強固に固定することができる。  また、本願請求項２記載の考案では、フック部の板状体が貫通穴を有している場合を含む。
【手続補正３】
【補正対象書類名】明細書
【補正対象項目名】０００６
【補正方法】変更
【補正の内容】
【０００６】  本願請求項３記載の考案では、ロッドに配した少なくとも１つ以上のロック部に脱着可能であって支軸に対して旋回する一対のクランプと、クランプを開閉させる方向に移動させるスライド部材と、その押圧手段、そして一対のクランプの弾性的な開閉を補助する引張りスプリングならなるロッドの落下を防止するクランプの開閉機構であり、  上記引張りスプリングが雄ネジ部と板状体からなるフック部を、該雄ネジ部をスプリング本体の内部に螺着し、更に補強リング体の雌ネジ部をスプリング本体の外側に螺着し、補強リング体をフック部の雄ネジ部の領域で固定した構造からなるクランプの開閉機構にある。